(57)【特許請求の範囲】
【請求項１】
平面視略アーモンド形を画くよう湾曲した周縁形状を有し、吸水層生地の内面に透水層生地を同外周に防水層生地を重ねてなる２枚の尿吸収シートの、上記湾曲した端縁を縫合等して一体化し、２枚以上のシートを全体として平面視が一部幅広部分を有するスプーン状となし、前記最も幅の広い部分が最大の深さを有する形状とした尿吸収パッドを、パンツ主体の前身頃中央部位の内部及びクロッチ部を前部から覆う位置に配し、尿吸収パッドの上縁を除く他の端縁全周がパンツ主体に縫着され、前記上縁のみ吊り下げ状態に撥水テープにより天ゴムに固定されていることを特徴とする男性用失禁パンツ。 
【発明の詳細な説明】
【技術分野】
【０００１】
本発明は、失禁の恐れのある男性が使用し、着用時その使用を認知され難く、尿漏れの生じない尿吸収パッド付き男性用失禁パンツに関する。
【背景技術】
【０００２】
尿失禁に対処するために、尿吸収材を取り付け、横漏れ等により着衣を汚損する等の事態の発生を防止する手段は色々と考えられてきた。これら製品はパンツ等の下穿に吸水性素材を取り付け、尿をそれに吸収させ、適時、取り付けた吸水性素材を交換するもの、或は下穿本体と尿吸収部材とが一体に構成されているものなどが知られている。
【０００３】
前者として、一枚のシート状部材からカップ形状に形成された男性用失禁パッドであって、シート状部材の上縁中央がＶ形状を有しており、Ｖ形状を形成する一対の側縁部が互いに接合されて形成されている失禁パッドがある。然し、使い捨てでコストがかかることや、１枚のシートの一部をＶ字形状にしたものを接合して形成しているため性器全体のフィット感が悪く、漏れが発生する可能性があった（特許文献１）。
また、後者の例として、身生地を吸水性の生地で一体化形成すると共に、股部内側の身生地上に防水布、吸収材及び吸水布を順次積層して形成した吸収部材を配設して構成してなるパンツが開示されているが、吸水部材が平面構造のため男性性器にフィットせず履き心地が悪く、漏れが発生する可能性がある（特許文献２）。
【先行技術文献】
【特許文献】
【０００４】
【特許文献１】特開２００８−１３６６４１号公報
【特許文献２】実開平１−１１９００２公報
【発明の概要】
【発明が解決しようとする課題】
【０００５】
本発明失禁用パンツは、失禁用である為に尿吸収用のパッド等の吸収材を用いなければならないが、同パッドは、尿吸収量を多くすればその嵩も大となり、パッドを使用していることを窺知できることになってしまう。本発明は尿吸収用パッドを使用していることが外部から目立たないように構成することを目的の1つとしている。
【０００６】
更に、単にクロッチ部に尿吸収部材を平面的に置くだけでは着用感を良好にすることは出来ず、使用中に横漏れ等の発生を見ることにもなる。
そこで、尿吸収部材を横漏れ等の発生をしにくく人体に良好に沿うよう立体を形成している、尿吸収パッド付き男性用失禁パンツを提供する。
【課題を解決するための手段】
【０００７】
本発明男性用失禁パンツは、平面視略アーモンド形を画くよう湾曲した周縁形状を有し、吸水層生地の内面に透水層生地を同外周に防水層生地を重ねてなる２枚の尿吸収シートの、上記湾曲した端縁を縫合等して一体化し、２枚以上のシートを全体として平面視が一部幅広部分を有するスプーン状となし、前記最も幅の広い部分が最大の深さを有する形状とした尿吸収パッドを、パンツ主体の前身頃中央部位の内部及びクロッチ部を前部から覆う位置に配し、尿吸収パッドの上縁を除く他の端縁全周がパンツ主体に縫着され、前記上縁のみ吊り下げ状態に撥水テープにより天ゴムに固定してなる。
【発明の効果】
【０００８】
本発明男性用失禁パンツは、前身頃中央部からクロッチ部分にかけてパンツ主体内部に尿吸収パッドを配しており、該尿吸収パッドは、平面視スプーン状をなし、その最も幅の広い部分が最大の深さとなる形態とし、パンツ主体の前身頃中央部位の内部及びクロッチ部を前部から覆う位置に配し、尿吸収パッドの上縁を除く他の端縁全周がパンツ主体に縫着され、前記上縁のみ吊り下げ状態に撥水テープにより天ゴムに固定されているために、尿吸収パッドの上部は天ゴムに吊り下げられた状態で支持されることになり、天ゴム部に直接尿吸収パッドを固定する場合に比して該部が厚くならず着用感に優れ、かつ、尿吸収パッドから天ゴムに尿漏れの生ずることも防止できる。
【０００９】
また、失禁用パンツを着用していることが外から目立たず、パッドが立体でフィットし、着用感が良く、横漏れしにくく、人体に沿うように立体を形成することが出来る。
【図面の簡単な説明】
【００１０】
【図１】本願失禁用パンツの正面図。
【図２】本願失禁用パンツの背面図。
【図３】本願失禁用パンツを内外反転し、前身頃内部を示す図。
【図４】図３のVI−VI部の切断端面図。
【図５】図３のＶ−Ｖ部の切断端面図。
【図６】本発明失禁用パンツの各生地を分解した展開図。
【図７】尿吸収パッドの正面図。
【図８】吸収性シートの拡大断面図。
【発明を実施するための形態】
【００１１】
本発明男性用失禁パンツ１の実施形態につき図面と共に説明する。
本発明男性用失禁パンツ１のパンツ本体の構成を先ず説明する。男性用失禁パンツ１は適宜編成された編地を裁断し、左右の前身頃２，３、後身頃４、前立部５等の生地を用意し、ウエストバンド６等と共に一体にパンツ本体を縫製してなるもので、その間前立部５の縫製と共に尿吸収パッド７の縫着も行っている。
【００１２】
失禁パンツ本体は、平面視対称形をしたアーモンド形状の吸水性シート１３，１３を対称の軸を中心にして縫い合わせ、スプーン状の形状とした前立部５の両側に接して前身頃２，３が、前立部５に縫着され、前身頃２，３間に後身頃４を縫着することで全体として筒状に構成し、前立部５、前身頃２，３、後身頃４の上縁にはウエストバンド６を逢着してなる。
【００１３】
また、前身頃２のクロッチ部生地２ｂと後身頃４の突出生地４ｃ、前身頃３のクロッチ部生地３ｃと後身頃４の突出生地４ｄを縫着することにより、脚開口部１０，１１を形成し脚開口部１０，１１の周囲は口ゴム帯１２を配する。
【００１４】
図６に示す前身頃２は、大略方形をなし縦方向の一辺２ａは若干突出しクロッチ部８の生地２ｂの一部を構成し、縦方向の他縁２ｃは、後身頃４の端縁４ａと縫合するために該端縁４ａと同様な屈曲線を画いている。また、後身頃４の前記端縁４ａと対位する端縁４ｂは端縁４ａと対称に位置している。後身頃４の下部左右に２ケ所クロッチ部８の生地となる前記突出生地４ｃ，４ｄを形成している。後身頃４に隣接する前身頃３は、前身頃２と対称形をなしている。
【００１５】
前身頃２，３の間に位置する前立部５は対称形をなした２枚の前立布５ａ，５ｂを縫い合わせてなる。前立布５ａ，５ｂは先端が尖頭形をなした楕円状屈曲をなし、平面視細長いアーモンド形状をなした前立布５ａと対称の前立布５ｂとを対称軸Ｘ−Ｘを中心に２枚重ねし、対称軸Ｘ−Ｘ線に近い端縁５ｃ，５ｄを縫着線として２枚を縫い合わせ最大幅の部分が最深となるスプーン状をなした前立部５とする。
【００１６】
そして、前立部５の前立布５ａの端縁５ｅと前身頃２の端縁２ａ、前身頃２の端縁２ｃと後身頃４の端縁４ａ、後身頃４の端縁４ｂと前身頃３の端縁３ａ、前身頃３の端縁３ｂと前立布５ｂの端縁５ｆを縫合し全体を筒状とし、前立部５、前身頃２，３、後身頃４の上端縁にウエストバンド６を縫着する。そして、前述の如く前身頃２のクロッチ部生地２ｂと後身頃４の突出生地４ｃを突き合わせて縫合し、同様に前身頃３のクロッチ部生地３ｃと後身頃４の突出生地４ｄとを突き合わせて縫合し脚開口部１０，１１が作られる。このとき前立部５の下端縁５ｇと後身頃４の中央弧状縁４ｅとが逢着される。脚開口部１０，１１には口ゴム帯１２が設けられる。
【００１７】
上記構成の失禁用パンツ主体部に尿吸収パッド７を取り付けなければならない。尿吸収パッド７は上記主体部の縫製の途次、前立部５と前身頃２，３、後身頃４の縫製後に前立部５内面に前身頃２，３間に縫着される。  
【００１８】
尿吸収パッド７につき、次に説明する。尿吸収パッド７は、吸水性シート１３を結果的にスプーン形状に裁断縫製してなるが、吸水性シート１３は、透水布１４，吸水層１５，防水層１６の３枚を、透水布１４を内面に、防水層１６を外面側に位置させて重ね、各布・層は何れも、図６に示す如く、前記した前立布５ａ，５ｂと同様形状として、図３，図７に示す如く中央を縫着１７することにより、パンツ本体の前立部５と同形状のスプーン状としている。
【００１９】
そして、尿吸収パッド７の裁断面全周囲は撥水テープによって縁取り１８がなされると共に前記縫着部位１７も撥水テープ１９で覆われ、縁取り１８、撥水テープ１９の端部は尿吸収パッド７から延長されて延長部分１８ａ，１８ｂ，１９ａとなり、該延長部分１８ａ，１８ｂ，１９ａの端部はウエストバンド６に３ヶ所で固定され、縁取り１８及び１８ａ部分において、尿吸収パッド７は、パンツ本体の前立部５の周囲に位置する前身頃２，３及びクロッチ部８との境界の縫合線部分でパンツ本体と一体に縫合される。上記の撥水テープによる尿吸収パッド７の周縁の縁取り１８の存在により尿吸収パッド７が吸収した尿を漏れにくくしている。
【産業上の利用可能性】
【００２０】
上記実施例では、尿吸収パッドがパンツ本体の前立部の生地と同様な形状に縫製した吸収性シートよりなる尿吸収パッドを用いる例のみを示したが、本発明にあっては尿吸収パッドはその上部がパンツ本体と固定されていないので、必要ならば尿吸収パッドとパンツ本体の前立部生地の間に適宜形状の尿吸収材を挿入し吸尿効果を高め、或は一層の尿漏れ防止効果を期待することも可能である。
【符号の説明】
【００２１】
１  男性用失禁パンツ
２，３  前身頃
２ａ  縦方向の一辺
２ｂ  クロッチ部８の生地
２ｃ  縦方向の他縁
４  後身頃
５  前立部
５ａ，５ｂ  前立布
５ｇ  前立部の下端縁
６  ウエストバンド
７  尿吸収パッド
８  クロッチ部
１０，１１  脚開口部
１２  口ゴム帯
１３  吸水性シート
１４  透水布
１５  吸水層
１６  防水層
１７  縫着
１８  縁取り
１８ａ，１８ｂ  延長部分
１９  撥水テープ
１９ａ  延長部分
【図１】
0005440939.tif 000002
【図２】
0005440939.tif 000003
【図３】
0005440939.tif 000004
【図４】
0005440939.tif 000005
【図５】
0005440939.tif 000006
【図６】
0005440939.tif 000007
【図７】
0005440939.tif 000008
【図８】
0005440939.tif 000009